(57)【要約】【課題】  データセンターは、ラック式コンピューティングシステムを支持する床と、コンピューティング室を包囲する壁とを含む。【解決手段】  コンピューティング室は、ラック式コンピューティングシステムを保持する。壁のうちの１個は可動壁である。可動壁は、コンピューティング室の大きさを増大または減少させるように他の壁に対して平行移動する。【選択図】図３Ａ
2018003593.tif 000002
【特許請求の範囲】
【請求項１】
１個以上のラック式コンピューティングシステムを支持するように構成される床と、
コンピューティング室を少なくとも部分的に包囲している複数の壁であって、前記コンピューティング室は長さおよび幅を含み、前記コンピューティング室は前記ラック式コンピューティングシステムのうちの少なくとも１個を保持するように構成される、複数の壁と、を備え、
前記複数の壁は、
前記コンピューティング室の前記幅を画成する一対の対向する平行な壁と、１個以上の可動壁であって、前記可動壁のうちの少なくとも１個の各々は、前記対向する平行な壁を実質的につなぎ、前記１個以上の可動壁のうちの少なくとも１個は、前記コンピューティング室の長さを増大または減少させるように平行移動するように構成される、１個以上の可動壁と、を備える、データセンター。
【請求項２】
前記１個以上の可動壁のうちの少なくとも１個は、１個以上のローラを備え、前記少なくとも１個の可動壁は、前記コンピューティング室の長さを増大または減少させるように転動するように構成される、請求項１に記載のデータセンター。
【請求項３】
前記可動壁のうちの少なくとも１個は、前記コンピューティング室の長さを増大または減少させるように動かされるように動力を供給される、請求項１に記載のデータセンター。
【請求項４】
１個以上のレールを更に備え、前記１個以上の壁のうちの少なくとも１個は前記１個以上のレールのうちの少なくとも１個に沿って動く、請求項１に記載のデータセンター。
【請求項５】
１個以上のラック式コンピューティングシステムを支持するように構成される床と、
コンピューティング室を少なくとも部分的に包囲している複数の壁であって、前記コンピューティング室は前記ラック式コンピューティングシステムのうちの少なくとも１個を保持するように構成される、複数の壁と、
を備え、
前記複数の壁は１個以上の可動壁を備え、前記可動壁のうちの少なくとも１個は、前記コンピューティング室の大きさを増大または減少させるように前記他の壁に対して平行移動するように構成される、データセンター。
【請求項６】
前記複数の壁は２個以上の可動壁を備え、前記可動壁のうちの少なくとも２個の各々は、前記コンピューティング室の大きさを増大または減少させるように１個以上の他の壁に対して平行移動するように構成される、請求項５に記載のデータセンター。
【請求項７】
前記１個以上の可動壁のうちの少なくとも１個は、非コンピューティング空間からコンピューティング空間を隔てる、請求項５に記載のデータセンター。
【請求項８】
前記１個以上の可動壁のうちの少なくとも１個は、前記可動壁と少なくとも１個の他の壁との間の接合部に１個以上の密封要素を備え、該１個以上の密封要素は前記コンピューティング空間と前記非コンピューティング空間との間の空気流を抑制するように構成される、請求項５に記載のデータセンター。
【請求項９】
前記コンピューティング室上の天井を更に備え、前記少なくとも１個の可動壁は前記天井へ実質的に延びる、請求項５に記載のデータセンター。
【請求項１０】
前記コンピューティング室の前記天井を介して空気を引き出すように構成される空気処理システムを更に備える、請求項５に記載のデータセンター。
【請求項１１】
複数の壁により少なくとも部分的に包囲されるコンピューティング室を設けることと、
前記コンピューティング室の大きさを増大または減少させるように可動壁を前記コンピューティング室の前記他の壁に対して平行移動させることと、
を含む、
コンピューティング室の大きさを変える方法。
【請求項１２】
前記可動壁は非コンピューティング空間からコンピューティング空間を隔て、前記非コンピューティング空間の少なくとも一部分は未完成空間であり、前記方法は、
前記非コンピューティング空間内に拡張域を仕上げることと、
前記コンピューティング室を拡大して前記拡張域を含むように前記可動壁を平行移動させることと、
前記拡張域内で１個以上のラック式コンピューティングシステムを操作することと、
を更に含む、請求項１１に記載の方法。
【請求項１３】
前記可動壁は非コンピューティング空間からコンピューティング空間を隔て、前記可動壁は前記コンピューティング室の大きさを増大して拡張域を含むように平行移動かされ、前記方法は、空間を前記拡張域で非コンピューティング用からコンピューティング用へ再割当てすることを更に含む、請求項１１に記載の方法。
【請求項１４】
前記コンピューティング室を拡大して前記拡張域を含むように前記可動壁を平行移動することと、
前記拡張域内の固定壁の一部分を介して少なくとも１個以上のラック式コンピューティングシステムに電力を供給することと、
を更に含む、請求項１１に記載の方法。
【請求項１５】
前記ラック式コンピューティングシステムを介して空気を動かして熱を除去することと、
加熱された空気を前記コンピューティング室の前記天井を介して排出することと、
を更に含む、請求項１１に記載の方法。
【発明の詳細な説明】
【背景技術】
【０００１】
オンライン小売業者、インターネットサービス提供者、サーチ提供者、金融機関、大学
、および他のコンピューティング集約型の機関等の機関では、大規模なコンピューティン
グ施設からコンピュータ操作を行うことが多い。それらのコンピューティング施設は、大
量のサーバ、ネットワーク、およびコンピュータ設備を収容および収納して、機関での操
作を実行するのに必要とされるデータの処理、格納、および交換を行っている。一般に、
コンピューティング施設のコンピュータ室には、多くのサーバラックを含んでいる。各サ
ーバラックにも、また、多くのサーバおよび関連したコンピュータ設備を含んでいる。コ
ンピューティング施設には多数のサーバを包含し得るので、施設を操業するためには多量
の電力が必要となる可能性がある。加えて、電力は、コンピュータ室の全体に広がった多
数の場所（例えば、多くのラックが相互に間隔を空けて配置され、多くのサーバが各ラッ
ク内にある）に配送される。通常は、施設は、比較的高い電圧で給電を受ける。この給電
は、より低い電圧（例えば、１１０Ｖ）に下げられる。ケーブル、バスバー、電源コネク
タ、および配電ユニットのネットワークを使用して、電力をより低い電圧で施設内の多数
の特定な構成部品に配送する。
【０００２】
コンピュータシステムは、一般に、廃熱を発生する多数の構成部品を含んでいる。その
ような構成部品としては、プリント回路基板、大容量記憶デバイス、電源装置、およびプ
ロセッサが含まれる。例えば、マルチプロセッサを備えた一部のコンピュータでは、２５
０ワットの廃熱を発生する可能性がある。一部の公知のコンピュータシステムは、複数の
そのようなより大型のマルチプロセッサコンピュータを含んでおり、それらはラック取付
けの構成部品に構成され、その後ユニット式ラックシステム内に位置付けられる。一部の
公知のユニット式ラックシステムは、４０個のそのようなラック取付けの構成部品を含む
ため、そのようなユニット式ラックシステムは１０キロワットもの廃熱を発生する。しか
も、一部の公知なデータセンターは、複数のそのようなユニット式ラックシステムを含ん
でいる。一部の公知なデータセンターは、一般に１個以上のラックシステムを介して空気
を循環させることにより、複数のユニット式ラックシステムからの廃熱の除去を容易にす
る方法および装置を含んでいる。
【０００３】
多くのデータセンターは、建造物の内部に収容された多数のラック取付けのサーバを含
み、この建造物が運転保護装置を提供する。そうした建造物は、建設コスト、保守コスト
、および／または賃借コストの形で実質的投資を要する可能性がある。加えて、データセ
ンター（またはその拡張）を設計および建設し、ケーブルを敷設し、ラックおよび冷却シ
ステムを設置するためには、一般にかなりの時間と資源とが要される。電気的およびＨＶ
ＡＣシステム等について、検査を行い証明および認可を得るためには、一般に追加の時間
と資源とが必要となる。
【０００４】
多くのデータセンターは、強制空気システムと空気調節に依存して、温度および他の環
境条件をデータセンター内で許容範囲内に維持している。これらのシステムを設置して稼
働させる初期および運用コストは、データセンターの操業に相当なコストと複雑性を加え
る可能性がある。
【０００５】
任意のデータセンターに必要なコンピューティング容量の程度は、ビジネスニーズによ
る決定にしたがって、急激に変化する可能性がある。ほとんどの場合、当該場所でコンピ
ューティング容量の増大が必要になる。データセンター内にコンピューティング容量を初
期提供すること、またはデータセンターの現存容量を（例えば、追加のサーバの形で）拡
張することは、資源集約型であり、効果を生じるまでに多くの月日がかかる。
【図面の簡単な説明】
【０００６】
【図１】図１Ａ、図１Ｂ、図１Ｃは、コンピューティング室用の可動壁を有するデータセンターを示す。
【図２】可動壁を平行移動することによりデータセンターのコンピューティング室の大きさを拡張変化させる一実施形態を示すフロー図である。
【図３】図３Ａ、図３Ｂは、コンピューティング室の長さを増大させるように可動壁を平行移動させた後のデータセンターの平面図および側面図を、それぞれ、示す。
【図４】側部モジュールを追加することによりデータセンターのコンピューティング室を拡張することを示す。
【図５】データセンターのコンピューティング室の側部に使用できる側部モジュールの一実施形態を示す。
【図６】コンピューティング室の大きさを増大させるために使用できる側部モジュールを有するデータセンターの一実施形態を示す。
【図７】コンピューティング室の端壁として機能するように可動壁を位置付けたデータセンターの一実施形態を示す。
【図８】図８Ａ、図８Ｂは、側部モジュールにより境界を画されるコンピューティング室を備えたデータセンターを示す。
【図９】図９Ａ、図９Ｂは、データセンターのコンピューティング室を拡張するための拡大用支持構造要素を示す。
【図１０】図１０Ａ、図１０Ｂは、拡大されたコンピューティング室を示す。
【図１１】共通の側部モジュールにより接続されたコンピューティング室を有するデータセンターを示す。
【図１２】拡張可能な外部シェルを有するデータセンターを示す。
【０００７】
本発明は種々の変形例や代替形態が可能であるが、その特定実施形態を図面における実
施例により示し、本明細書で詳細に説明を行う。しかし、それらについての図面および詳
細な説明は、本発明を開示した特定な形に限定するようには意図されてなく、逆に、本発
明は、添付した特許請求の範囲により画成される本発明の精神および範囲内に収まる全て
の変形例、均等物および代替例に及ぶべきことを理解すべきである。本明細書に使用する
見出しは系統立てる目的のみのものであって明細書または特許請求の範囲を制限するため
に用いられるように意味するものではない。本出願書類を通して使用される、語「しても
よい」は強制的な意味（即ち、しなければならないを意味する）のではなく、許容的な意
味（即ち、潜在可能性を有していることを意味する）に使用される。同様に、語「含む（
ｉｎｃｌｕｄｅ）」、「含む（ｉｎｃｌｕｄｉｎｇ）」、および「含む（ｉｎｃｌｕｄｅ
ｓ）」は含んでいることを意味するが、限定はされない。
【発明を実施するための形態】
【０００８】
コンピューティング資源を提供するためのシステムおよび方法が開示される。一実施形
態によれば、データセンターは、ラック式コンピューティングシステムを支持する床と、
コンピューティング室を包囲する壁とを含む。コンピューティング室は長さおよび幅を有
する。コンピューティング室は、ラック式コンピューティングシステムを保持する。壁は
、コンピューティング室の幅を画成する一対の対向する平行な壁と、１個以上の可動壁と
を含む。可動壁のうちの少なくとも１個は、対向する平行な壁同士を実質的につなぐ。可
動壁は、コンピューティング室の長さを増大または減少させるように平行移動できる。
【０００９】
一実施形態によれば、データセンターは、ラック式コンピューティングシステムを支持
する床と、コンピューティング室を包囲する壁とを含む。コンピューティング室は、長さ
および幅を有する。コンピューティング室は、ラック式コンピューティングシステムを保
持する。壁のうちの１個は、可動壁である。可動壁は、コンピューティング室の大きさを
増大または減少させるように他の壁に対して平行移動する。
【００１０】
一実施形態によれば、コンピューティング室の大きさを変える方法は、壁により包囲さ
れるコンピューティング室を設けることを含む。可動壁は、コンピューティング室の大き
さを増大または減少させるようにコンピューティング室の他の壁に対して平行移動される
。
【００１１】
一実施形態によれば、コンピューティング室を拡大する方法は、可動壁と他の壁との間
の拡張域に隙間が生成されるように、コンピューティング室の可動壁をコンピューティン
グ室の１個以上の他の壁から遠ざかる方向に動かすことを含む。側部モジュールと、可動
壁と、他の壁とが、拡張域を含む拡大されたコンピューティング室を画成するように、１
個以上の側部モジュールが、可動壁と他の壁との間の隙間で結合される。
【００１２】
一実施形態によれば、コンピューティング室を拡大する方法は、コンピューティング室
からコンピューティング室の拡張域内に支持構造要素を延ばすことを含む。拡大されたコ
ンピューティング室を包囲するように、コンピューティング室の拡張域で、１個以上の側
部モジュールが支持構造要素に結合される。
【００１３】
一実施形態によれば、データセンターは、ラック式コンピューティングシステムを支持
する床と、壁とを含む。壁のうちの１個は可動端壁で、これをコンピューティング室の他
の壁から遠ざかる方向に動かして、可動壁と他の壁との間に拡張域を生成できる。１個以
上の側部モジュールと、可動壁と、他の壁の内の少なくとも１個とが、拡張域を含む拡大
されたコンピューティング室を画成するように、側部モジュールは可動壁と１個以上の他
の壁との間の隙間で結合できる。
【００１４】
一実施形態によれば、データセンターは、ラック式コンピューティングシステムと、ラ
ック式コンピューティングシステムを支持する床と、２個以上の対向する端壁と、２個以
上の側部モジュールとを含む。側部モジュールと端壁とは、ラック式コンピューティング
システム用のコンピューティング室を包囲するように配置される。端壁のうちの１個は可
動で、コンピューティング室の辺に沿う追加の側部モジュールの挿入によりコンピューテ
ィング室を拡大させることを可能にする。
【００１５】
本明細書で使用される、「データセンター基盤」は、電力、外部システムとのデータ交
換能力、空気、熱除去、および環境制御（例えば、湿度制御、粒子制御）等の、コンピュ
ーティングデバイス用の資源を提供するシステム、構成部品、またはシステムの要素を意
味する。
【００１６】
本明細書で使用される、「モジュール式パネル」は、空間を部分的に包囲可能なパネル
、板、フレームを含む。モジュール式パネルは、１個以上の開口を有していても構わない
。一部の実施形態では、モジュール式パネルは、他の要素と組合わされて働いて、空間を
部分的に包囲する。例えば、データセンター基盤モジュールとモジュール式パネルとが組
合わさってコンピューティング室を包囲するように、データセンター基盤モジュールは、
モジュール式パネルの開口に結合できる。
【００１７】
本明細書で使用される、「室」は、建造物の室または空間を意味する。本明細書で使用
される、「コンピューティング室」は、内部で、ラック取付けのサーバ等の、コンピュー
ティングデバイスを操作できる建造物の室を意味する。
【００１８】
本明細書で使用される、「支持構造要素」は、コンピューティング室を包囲する要素を
支持する１個以上の要素を含む。支持構造要素の実施例には、床、スラブ、床下張、レー
ル、フレーム、ロッド、バー、または足場を含む。
【００１９】
本明細書で使用される、「通路」は、１個以上のラックに隣接する空間を意味する。
【００２０】
本明細書で使用される、「空気処理システム」は、空気を１個以上のシステムまたは構
成部品に提供または動かす、またはそこから除去する、システムを意味する。
【００２１】
本明細書で使用される、「空気移動デバイス」は、空気を動かし得る任意のデバイス、
要素、システム、またはそれらの組合せを含む。空気移動デバイスの実施例には、ファン
、ブロワー、および圧縮空気システムを含む。
【００２２】
本明細書で使用される、「周囲」は、システムまたはデータセンターの場所での外気の
状態を指す。周囲温度は、例えば、空気処理システムの吸気フードで、または近傍で、得
られる。
【００２３】
本明細書で使用される、「ケーブル」は、１個以上の導体を備え、その長さの少なくと
も一部分で可撓性がある任意のケーブル、導管または回線を含む。ケーブルは、１箇所以
上のその端に、プラグ等のコネクタ部分を含み得る。
【００２４】
本明細書で使用される、「低温通路」は、ラック式コンピューティングシステム等の、
システムから熱を除去する際の使用のために空気を引出し得る通路を意味する。
【００２５】
本明細書で使用される、「コンピューティング」は、計算、データ格納、データ検索、
または通信等の、コンピュータにより遂行され得る任意の動作を含む。
【００２６】
本明細書で使用される、「コンピューティングデバイス」は、コンピュータシステムま
たはその構成部品等の、コンピューティング動作を行える種々のデバイスのいずれかを含
む。コンピューティングデバイスの一実施例は、ラック取付けのサーバである。本明細書
で使用される、コンピューティングデバイスの用語は、当該技術分野でコンピュータと呼
ばれる単なる集積回路に限定されず、プロセッサ、サーバ、マイクロコントローラ、マイ
クロコンピュータ、プログラマブルロジックコントローラ（ＰＬＣ）、用途特化集積回路
、および他のプログラマブル回路をも広く示し、これらの用語は本明細書では互換的に使
用される。コンピューティングデバイスの一部の実施例には、電子商取引サービス、ネッ
トワークデバイス、電気通信設備、医療設備、電力管理および制御デバイス、および本格
的音声機器（デジタル、アナログ、またはそれらの組合せ）を含む。種々の実施形態で、
メモリは、ランダムアクセスメモリ（ＲＡＭ）等の、コンピュータ可読媒体を含み得るが
、それに限定はされない。あるいは、コンパクトディスク−リードオンリメモリ（ＣＤ‐
ＲＯＭ）、光磁気ディスク（ＭＯＤ）、および／またはデジタル多目的ディスク（ＤＶＤ
）も使用可能である。また、追加の入力チャネルは、マウスおよびキーボード等のオペレ
ータインターフェースに関連するコンピュータ周辺機器を含み得る。あるいは、他のコン
ピュータ周辺機器も使用可能で、例えば、スキャナーを含み得る。更に、一部の実施形態
で、追加の出力チャネルは、オペレータインターフェースモニタおよび／またはプリンタ
を含み得る。
【００２７】
本明細書で使用される、「データセンター」は、コンピュータ動作が行われる任意の施
設または施設の部分を含む。データセンターは、特定な機能専用のまたは多機能を果たす
サーバを含む。コンピュータ動作の実施例には、情報処理、通信、シミュレーション、お
よび業務管理を含む。
【００２８】
本明細書で使用される、「高温通路」は、ラック式コンピューティングシステム等の、
システムから熱を除去する際の使用のために加熱された空気を排出し得る通路を意味する
。
【００２９】
本明細書で使用される、「機械的な冷却」は、蒸気圧縮冷凍システムで起こるような、
少なくとも１種類の流体に機械仕事を行うことを含む処理による空気の冷却を意味する。
【００３０】
本明細書で使用される、「モジュール」は、構成部品または物理的に相互に結合する構
成部品の組合せである。モジュールには、コンピュータシステム、回路盤、ラック、ブロ
ワー、ダクト、および配電ユニット等、の機能要素およびシステム、ならびにベース、フ
レーム、筐体、またはコンテナ等の、構造要素を含み得る。
【００３１】
本明細書で使用される、「動作環境」は、コンピューティング資源の関連で、コンピュ
ーティング資源用に提供される空間、施設および基盤資源を意味する。一組のラック式コ
ンピューティングシステム用の動作環境には、当該組のコンピューティングシステム用に
提供される空間、電力、データ交換、冷却、および環境制御資源を含む。
【００３２】
本明細書で使用される、「配電ユニット」は、電力の配電に使用され得る任意のデバイ
ス、モジュール、構成部品、またはそれらの組合せを指す。配電ユニットの要素は、単一
の構成部品または組立体（例えば、共通の包囲体内に収容された変圧器およびラック式配
電ユニット）内に具体化してよく、または２個以上の構成部品または組立体（例えば、別
個の包囲体内に各々収容された変圧器およびラック式配電ユニット、および関連のケーブ
ル等）間に分散配置してもよい。本明細書で使用される、「電力パネル」は、１個以上の
入力導体から１個以上の出力導体に送電または配電するために使用され得る任意のパネル
、デバイス、モジュール、構成部品、またはそれらの組合せを意味する。ある実施形態で
は、遠隔電力パネルは、メインラグオンリパネル導体を含む。遠隔電力パネルは、キャビ
ネット等の、包囲体内に収容できる。
【００３３】
本明細書で使用される、「ラック式コンピューティングシステム」は、ラックに取付け
られる１個以上のコンピューティングデバイスを含むコンピューティングシステムを意味
する。
【００３４】
本明細書で使用される、「空間」は、空間、領域または容積を意味する。
【００３５】
図１Ａは、コンピューティング室用の可動壁を有するデータセンターの一実施形態を示
す平面図である。図１Ｂは、図１Ａに示したデータセンターを示す側面図である。図１Ｃ
は、図１Ａに示したデータセンターを示す端面図である。データセンター１００は、外壁
１０２および屋根１０４を含む。外壁１０２および屋根１０４は、一階空間１０６と、二
階空間１０８と、下張り床空間１１０とを包囲する。
【００３６】
一階空間は、床１１２と天井１１４とにより境界を画される。一階空間１０６は、ホー
ル１１６と周辺の室１１８とを含む。ホール１１６は、側壁１２０により周囲空間１１８
から分離されている。
【００３７】
データセンター１００は、可動壁１２４を含む。可動壁１２４は、パネル１２６とロー
ラ組立体１２８とを含む。可動壁１２４は、ホール１１８の側壁１２０間に広がってもよ
い。可動壁１２４は、ホール１１６の床１３０から天井１１４へまたがっても構わない。
【００３８】
コンピューティング室１３２は、対向する側壁１２０と、端壁１３４と、可動壁１２４
とにより包囲される。コンピューティング室１３２は、ラック式コンピューティングシス
テム１３６を収容する。ラック式コンピューティングシステム１３６の各々は、サーバ等
の、コンピューティングデバイスと、電源ユニット、ラック式配電ユニット、およびファ
ン等の、コンピューティング室内でコンピューティング動作を支援する他のシステムおよ
びデバイスとを含んでもよい。
【００３９】
データ基盤モジュール１４０は、周辺の室１１８内に設けられる。データセンター基盤
モジュール１４０は、コンピューティング室内でのコンピューティング資源用の、電力、
冷却空気、ネットワーク接続、および格納等の、基盤資源を提供してもよい。図１Ａでは
、データセンター基盤モジュール１４０は、電力システム１４２、機械モジュール１４４
、ネットワークモジュール１４６、安全格納モジュール１４８、オフィス空間モジュール
１５０、および支払金搬送システムモジュール１５２を含んでいる。電力システム１４２
は、発電機１５４、無停電電源１５５、および配電ユニット１５６を含めてもよい。一部
の実施形態では、異なる側部モジュール同士が互いに置き換え可能である。例えば、オフ
ィス空間モジュール１５０と支払金搬送システムモジュール１５２とは、これらのモジュ
ールのいずれをも室内フレーム内の任意のスロットに取付けられ可能なように、同一の取
付けインターフェースを有する。一実施形態では、データセンター基盤モジュールは、搬
入口を含む。搬入口は、コンピューティング資源およびデータセンター基盤をコンピュー
ティング室内へまたは室外へ搬送するために用いてもよい。搬入口モジュールは扉を含ん
でもよい。扉を、モジュールを介したアクセスを制御するように、かつコンピューティン
グ資源をモジュール外部の環境条件から保護するように用いてもよい。
【００４０】
一部の実施形態では、対向する側壁１２０と、端壁１３４と、可動壁１２４と、天井１
１４と、床１０６とが組合わさって、ラック式コンピューティングシステム１３４内のコ
ンピューティングデバイスを冷却するために用いる空気のプレナムとして機能する。例え
ば、空気をコンピューティング室１３２内ではコンピューティング室１３２の外のホール
１１４の一部内よりも高圧に維持してもよい。一部の実施形態では、密封要素（例えば、
フラップ）を包囲体の可動１２４とそれに隣接する、側壁１２０、床１３０、および天井
１１４等の、要素との間の接合部に設ける。一部の実施形態では、可動壁１２４、密封要
素、またはそれら両方の主要な構造体に防火材が使用される。
【００４１】
可動壁１２４により、コンピューティング空間を非コンピューティング空間から隔てて
もよい。例えば、コンピューティング室１２４は、コンピューティング動作を行うための
ラック取付けのコンピューティングデバイスを保持するのに適していてもよい。非コンピ
ューティング空間１５８は、機器の保管、オフィス空間、または製品保管空間等の、演算
以外の目的に用いられても構わない。ある実施形態では、非コンピューティング空間１５
８は、ＣＲＡＣ、ＵＰＳ、発電機、電力パネル、またはネットワークスイッチ等の、デー
タセンター基盤の提供に用いるシステムを保持する。
【００４２】
二階空間１０８には、廃気プレナム１６０、歩路１６２、および混気プレナム１６４が
含まれる。空気処理システム１４６を、二階空間１０８内に設置してもよい。空気処理シ
ステム１６６により、コンピューティング室１３２の主要通路１６８から天井１１４の開
口を介して空気を引き込み、かつ廃気プレナム１６０へ空気を排出してもよい。廃気プレ
ナム１６０内の空気は、屋根ベント１６２を経由して外部へ排出してもよい。
【００４３】
一部の実施形態では、混気プレナム１６４では、コンピューティング室１３２から除去
された空気を、データセンター外部からの空気と混合する。混気プレナム１６４からの空
気は、コンピューティング室１３２内へ導管を介して送り込んでもよい。
【００４４】
下張り床空間１１０は、下張り床プレナム１７０を含んでもよい。下張り床プレナム１
７０は、ラック式コンピューティングシステム１３６内のコンピューティングデバイスか
ら熱を除去するための空気源を保持してもよい。床ベント１７２により、下張り床プレナ
ム１７０からの空気を低温通路１７４へ引き込むことができる。図１Ｃ中の矢印は、デー
タセンター内での空気流の一例を示す。
【００４５】
折に触れて、データセンターに必要なコンピューティング空間量を増大または減少させ
てもよい。一部の実施形態では、可動壁を平行移動させて、コンピューティング室の大き
さを増大または減少させる。例えば、図１Ａ〜１Ｃに示したデータセンターでは、可動壁
１２４を端壁１３４に対して側壁１２０に沿って平行移動させて、コンピューティング室
１１４の長さを増大または減少させてもよい。この実施例では、可動壁１１４の位置に拘
わらず、コンピューティング室１１４の幅が一定に維持される。可動壁を、ローラ組立体
１２８のローラ１７８で転動するようにしてもよい。可動壁１２４は床レール１７６によ
り案内させてもよい。ある実施形態では、床レールまたは軌道上に可動壁を支えてもよい
。
【００４６】
図２は、可動壁を平行移動することにより、データセンターのコンピューティング室の
大きさを拡張変更させる一実施形態を示すフロー図である。１８０で、複数の壁により包
囲されたコンピューティング室が提供される。コンピューティング空間の拡張の場合、壁
を動かして拡張域を取囲むことで、拡張域をコンピューティング空間に加えることができ
る。拡張域は、データセンター内でコンピューティング空間を拡張するようにデータセン
ター内に準備できる。まず、拡張域は未加工空間で構わず、あるいはコンピューティング
資源を支援する準備状態になくても構わない。コンピューティング空間として使用するた
めの拡張域を準備するために、天井と拡張域内の壁とに仕上げ処理を施してもよい。電力
、冷却空気、ネットワークケーブル、および他のデータ基盤要素について、拡張域へ経路
決定を行ってもよい。
【００４７】
１８２で、可動壁をコンピューティング室の他の壁に対して平行移動させて、コンピュ
ーティング室の大きさを増大または減少させる。可動壁は、例えば、対向壁から遠ざかる
方向に平行移動させて、コンピューティング室の長さを増大させてもよい。
【００４８】
図３Ａおよび３Ｂは、コンピューティング室の長さを増大させるように可動壁を平行移
動させた後のデータセンターの平面図および側面図をそれぞれ示す。図１Ａおよび１Ｂに
対して、可動壁１２４が端壁１３４から遠ざかる方向に動かされており、コンピューティ
ング室１３２の長を増大し、かつ拡張域１９０を取囲んでいる。ラック式コンピューティ
ングシステム１３６ａが拡張域１９０内に追加されている。データセンター基盤モジュー
ル１４０ａが加えられており、ラック式コンピューティングシステム１３６ａ用基盤を拡
張域１８０内に設けている。ある実施形態では、一部のまたはラック式コンピューティン
グシステム１３６ａがデータセンター基盤モジュール１４０により支援されており、デー
タセンター基盤モジュール１４０ａのうちの一部または全部が省略されても構わない。
【００４９】
一部の実施形態では、拡張域内で側部モジュールを加えることにより、コンピューティ
ング室を拡大する。コンピューティング室の拡大には、コンピューティング室からコンピ
ューティング室の拡張域内への支持構造要素の拡張を含めてもよい。拡張域内で側部モジ
ュールを支持構造要素に結合して、拡大されたコンピューティング室を包囲してもよい。
一部の実施形態では、コンピューティング室の拡大には、コンピューティング室の１個以
上の他の壁に対して端壁を動かすことを含む。拡張域での隙間を側部モジュールで埋めて
もよい。
【００５０】
図４は、側部モジュールを追加することによりデータセンターのコンピューティング室
を拡大することを示す。２００で、コンピューティング室の可動壁と１個以上の他の壁と
の間の拡張域内に隙間を生成するように、コンピューティング室の端壁をコンピューティ
ング室の１個以上の他の壁から遠ざかる方向に動かす。
【００５１】
一部の実施形態では、支持構造要素が、コンピューティング室からコンピューティング
室の拡張域内へ拡張される。支持構造要素の実施例には、床（例えば、コンクリートスラ
ブ）、高位置レール、床レール、ビーム、フレーム、トラス、または支柱の区分が含まれ
る。
【００５２】
２０２で、側部モジュールをコンピューティング室の拡張域内に設置する。側部モジュ
ールは、フレーム、レール、または床等の、支持構造要素に結合してもよい。側部モジュ
ールを、追加のコンピューティング空間を包囲するように配置してもよい。拡張域内の側
部モジュールは、他の包囲要素と組合せて、拡大されたコンピューティング室を画成して
もよい。
【００５３】
図５は、データセンターのコンピューティング室の側部に使用することのできる側部モ
ジュールの一実施形態を示す。側部モジュール２０６は、正面フレーム２０８と、包囲体
２１０と、システム２１２とを含む。開口２１４はフレーム２０８内に設けられている。
ルーバ２１６は、包囲体２１０内へ空気流を提供するように、側部モジュール２０６の外
壁に設けることができる。
【００５４】
一部の実施形態では、側部モジュール（例えば、側部モジュール２０６）はコンピュー
ティング室の室内フレーム部材と結合する。コンピューティング室の室内フレーム部材の
実施例には、レール、スタッド、カラム、ビーム、またはジョイストを含む。
【００５５】
側部モジュール２０６の各々内のシステム２１２は、モジュール毎に変えて構わない。
一部のモジュールは、コンピューティング室内のコンピューティング資源用の電力、冷却
空気、ネットワーク接続、および格納等の、基盤資源を提供するためのシステムを含んで
よい。一部の実施形態では、各側部モジュールにより異なる機能が提供される。例えば、
一側部モジュールには冷却用の機械設備を含んでよく、別の側部モジュールは電力を提供
してもよく、また別のものはコンピューティング室外部のシステムへのネットワーク接続
を提供してもよい。電力ケーブル、データケーブル、または冷却空気を、フレーム２０８
内の開口２１４を介してコンピューティング室内のコンピューティング資源に提供しても
よい。
【００５６】
図６は、コンピューティング室の大きさを増大させるために使用できる側部モジュール
を有するデータセンターの一実施形態を示す。データセンター２２０は、床２２２、床レ
ール２２３、高位置レール２２４、モジュール式パネル２２６、内壁２２８、および外壁
２３０を含む。
【００５７】
モジュール式パネル２２６は、モジュール式側面パネル２３２とモジュール式天井パネ
ル２３４とを含む。モジュール式パネル２２６にはモジュール式側面パネル２３２を含み
、モジュール式天井パネル２３４は高位置レール２２４上に設置しても構わない。一部の
実施形態では、ねじ、ボルト、またはクリップ等の、締結具を用いて、モジュール式側面
パネル２３２とモジュール式天井パネル２３４とを高位置レール２２４上に固定する。
【００５８】
ラック式コンピューティングシステム２３８は、コンピューティング室２４２内で稼働
させてもよい。コンピューティング室２４２を、モジュール式パネル２２６と、内壁２２
８と、床２２２とによって包囲してもよい。
【００５９】
データセンター２２０は、データセンター基盤モジュール２４０を含む。データセンタ
ー基盤モジュール２４０および２４１は、モジュール式パネル２２６のうちのいずれかま
たは全部に結合してもよい。データセンター基盤モジュール２４０とモジュール式側面パ
ネル２２６との各組合せは、単一側部モジュールとして機能させても構わない。データセ
ンター基盤モジュール２４０は、コンピューティング室２４２内のコンピューティング資
源用の電力、冷却空気、ネットワーク接続、および格納等の、基盤資源を提供してもよい
。データセンター基盤モジュール２４１は、データセンター２２０内でコンピューティン
グ室２４２と別のコンピューティング室との間をつなぐホールウェイを含んでもよい。デ
ータセンター基盤モジュール２４０は、図１Ａ〜１Ｃに対して上述したデータセンター基
盤モジュール１４０に類似していてもよい。したがって、データセンター基盤モジュール
２４０は、例えば、機械モジュール、ネットワークモジュール、安全格納モジュール、オ
フィス空間モジュール、および安全支払モジュールを含んでもよい。データセンター基盤
モジュール２４０は、搬入口モジュール２４３を含む。搬入口モジュール２４３は、搬入
扉２４４、搬入プラットフォーム２４５、およびトラック２４６を含む。搬入扉２４４を
、モジュールを介したアクセスを制御するように、かつコンピューティング資源をモジュ
ール外部の環境条件から保護するように用いてもよい。
【００６０】
一部の実施形態では、冷却モジュールは、拡張可能なデータセンターの天井パネル上に
取付けられる。例えば、図６に示すデータセンターでは、冷却モジュール２５０は、天井
モジュール式パネル２３４のうちの１個の上に取付けられる。冷却モジュール２５０は、
モジュール式天井パネル２３４の外側開口２６２を介してコンピューティング室２４２内
の低温通路２６０へ冷気を導入し、モジュール式天井パネル２３４の中央開口２６６を介
して高温通路２６４コンピューティング室２４２から加熱された空気を除去するように操
作される。
【００６１】
内壁２２８および外壁２３０は、床レール２２３と高位置レール２２４との上で平行移
動させてもよい。内壁２２８および外壁２３０は、各々ローラ２６０を含む。ローラ２６
０は、内壁２２８および外壁２３０の動きを容易にするように用いてもよい。ある実施形
態では、内壁２２８および外壁２３０は、駆動システムを含む。駆動システムは、内壁２
２８と外壁２３０とをある位置から別の位置へ動かすように操作できる。駆動システムに
は、モーター、ケーブル、プリー、はずみ車、ガントリまたは壁を動かすための他のシス
テムまたはデバイスを含めてもよい。ある実施形態では、内壁、外壁、または両方、が壁
の上方にまたは側部に沿って構造要素上に支持される（例えば、吊り下げられる）。ロー
ラまたは摺動子を、内壁の辺に沿ってまたは頂部上に、または外部に設けて、壁を構造要
素上に支持されるようにしてもよい。
【００６２】
一部の実施形態では、可動壁が、モジュール式パネルと組合されて用いられ、データセ
ンターのコンピューティング室を包囲する。図７は、データセンターの一実施形態を示し
、可動壁がコンピューティング室の端壁として機能するように位置付けられている。この
実施例では、内壁２２８が、コンピューティング室２４２を包囲するように動かされてい
る。
【００６３】
図７に示した実施例では、コンピューティング室２４２外部のデータセンター２２０の
部分は、コンピューティング動作を支援する準備が未だ整っていない未加工空間であるか
もしれない。一部の場合には、未加工空間を、設備の保管等の、コンピューティング以外
の目的に使用してもよい。
【００６４】
外壁２３０は、内壁２２８から間隔を置いて配置したままで構わない。一部の実施形態
では、外壁２３２は、データセンターのコンピューティング室２４２外部の一部分で、雨
等の、屋外の環境条件からの保護を提供する。
【００６５】
必要性が生じるにしたがい、モジュール式パネルとデータ基盤モジュールとを設置また
は除去することによって、コンピューティング室をより大きくまたは小さくすることがで
きる。一部の実施形態では、可動壁を現存のパネルから引き離して、より多くのコンピュ
ーティング資源のための拡張域を取囲む。一部の実施形態では、モジュール式パネルまた
は基盤モジュール、または両方、を、かねて設置されている支持構造要素に追加する。あ
る実施形態では、拡張するコンピューティング空間に先駆けて支持構造要素を必要に応じ
て追加する。例えば、図６および７に示したデータセンターでは、追加区分のコンクリー
トスラブを注入することにより、床２２２の区分を追加してもよい。別の実施例として、
床レール２２３、高位置レール２２４または両方の区分を必要に応じて追加できる。ある
実施形態では、コンピューティング室の長さを増大させるために、サイドレールまたはオ
ーバーヘッドレール等の、垂下式の壁用の追加の構造要素をデータセンターに追加して、
可動壁が外へ動かされることを可能にする。
【００６６】
図８Ａおよび８Ｂは、側部モジュールにより境界を画されるコンピューティング室付の
データセンター示す。データセンター２８０はコンピューティング室２８２を含む。コン
ピューティング室２８２は、側部モジュール２８４と、端壁２８６と、可動内壁２８８と
により包囲される。側部モジュール２８４は、室内フレーム２９０上に結合される。コン
ピューティング室２８２は、ラック式コンピューティングシステム２９２を収容する。コ
ンピューティング室２８２は、二階構造体２９４下に位置付けられる。
【００６７】
図９Ａおよび９Ｂは、データセンターのコンピューティング室を拡大するための拡張用
支持構造要素を示す。図９Ａおよび９Ｂに対して、室内フレーム２９０ａが拡張域２９６
内のレール２９０に追加されている。側部モジュール２８４ａを室内フレーム２９０ａに
結合してもよい。可動外壁２９８は、拡張域２９６の準備時に、環境要素からの保護を提
供できるかもしれない。
【００６８】
図１０Ａおよび１０Ｂは、拡大されたコンピューティング室を示す。図９Ａおよび９Ｂ
に対して、コンピューティング室２８２が拡張域２９６を取囲むように内壁２８８が動か
されている。拡張域２９６内のコンピューティング室２８２にラック式コンピューティン
グシステム２９２が追加されている。側部モジュール２８４ａは、ラック式コンピューテ
ィングシステム２９２ａ内のコンピューティングデバイスに対して、電力、ネットワーク
接続、冷却等の、データセンター基盤を提供できるかもしれない。
【００６９】
一部の実施形態では、データセンターは、２個以上のコンピューティング室を接続する
側部モジュールを含む。図１１は、共通の側部モジュールにより接続されたコンピューテ
ィング室を有するデータセンターを示す。データセンター３００は、コンピューティング
室３０２ａと、コンピューティング室３０２ｂと、側部モジュール３０４、３０６、およ
び３０８とを含む。コンピューティング室３０２ａおよびコンピューティング室３０２ｂ
は、上述のように各々が拡張可能であってもよい。側部モジュール３０４は、コンピュー
ティング室３０２ａおよびコンピューティング室３０２ｂ同士を接続する相互接続用ホー
ルウェイを含んでもよい。一部の実施形態では、側部モジュール３０６および３０８は、
コンピューティングデバイスコンピューティング室３０２ａおよび３０２ｂに対し共通の
データ基盤を提供する。
【００７０】
一部の実施形態では、データセンターは、コンピューティング空間を収容するための拡
張可能な外部包囲体を含む。図１２は、拡張可能な外部シェルを有するデータセンターを
示す。データセンター３２０は、コンピューティング室３２２と、外部シェル３２４とを
含む。コンピューティング室３２２は、図８Ａおよび８Ｂに関連して上述したコンピュー
ティング室２８２と類似していてもよい。コンピューティング室３２２は、ラック式コン
ピューティングシステム３２６を包囲する。コンピューティング室３２２は、内壁３２８
を動かすことにより拡大できる。
【００７１】
外部シェル３２４は、天蓋３３０と、端壁３３２と、可動外壁３３４とを含む。可動外
壁はレール３３６上を走行してもよい。外部シェル３２４は、コンピューティング室３２
２に対しておよびデータセンター３２０のコンピューティング室３２２外部の部分に対し
て、環境上の保護を提供してもよい。
【００７２】
天蓋３３０は、ベローズ形構造を有することができる。天蓋３３０の一部分は、コンピ
ューティング室３３２（例えば、区分３３０ａ）を覆ってもよい。コンピューティング資
源を収容するために追加の室が必要な場合、可動壁３３４を外へ動かしてもよい（例えば
、レール３３６に沿って転動）。
【００７３】
図１２に示した実施例では、天蓋３３０が区分されて設けられる。天蓋の区分を、境界
板３３１を介して相互に接続してもよい。境界フランジは、隣接区分を相互にボルト接続
するためのフランジを含んでもよい。壁を外へ平行移動させる際に、天蓋の追加の区分を
拡張してもよい。例えば、区分３３０ｂを拡張して区分３３０ｂの下に拡張域を生成して
もよい。未だ必要とされていない天蓋の区分は、区分３３０ｃのように、圧縮状態に維持
してもよい。
【００７４】
天蓋３３０を、ガイドワイヤ３３３上に支持してもよい。ガイドワイヤ３３３の対向端
を、データセンターの対向端壁に取付けてもよい。境界板３３１の各々を、ガイドワイヤ
３３３に掛けてもよい。ガイドワイヤ３３３が天蓋３３０を支持してもよい。例えば、ガ
イドワイヤ３３３は、データセンターの対向端壁の間で天蓋３３０のたるみを抑制する。
一部の実施形態では、天蓋３３０は、少なくとも部分的に布で造られる。
【００７５】
図１２に示す実施形態では、天蓋３３０をガイドワイヤ上に支持したが、包囲体のため
の蓋を、ビーム、トラス、ロッド、ジョイストまたは屋根構造体等の、他の要素により支
持しても構わない。一部の実施形態では、蓋用の支持要素は蓋の下方に設けられる。例え
ば、代替実施形態では、ガイドワイヤ３３３を天蓋３３０の下方で張り渡してもよい。
【００７６】
図１２に示すデータセンターでは、包囲体は、他の実施形態で、他のタイプの拡張可能
な蓋を含んでよい。例えば、一実施形態では、外部包囲体は可動外壁に接続される一連の
入れ子式屋根区分を含む。データセンター内に追加の空間が必要な場合、可動外壁を外へ
動かして１個以上の追加の屋根区分を使用してもよい。
【００７７】
上述の多くの実施形態では、可動壁はローラを含むが、可動壁は種々の実施形態ではロ
ーラを含まなくても構わない。ある実施形態では、可動壁を（例えば、１個以上のちょう
つがいで）開くようにしてもよい。一部の実施形態では、２個以上の可動壁を横並びに設
けられる。
【００７８】
上述の多くの実施形態では、可動壁は床レール上を動くが、可動壁は種々の実施形態で
はサイドレールのオーバーヘッドレール等の、床上のレールまたは軌道上に支えても構わ
ない。ある実施形態では、コンピューティング室用の可動端壁をいかなる軌道またはレー
ルにも結合しなくても構わない。
【００７９】
上述の多くの実施形態では、コンピューティング空間の現存の部分は拡張域により拡大
されるが、ある実施形態では仕切りをコンピューティング室内の古いコンピューティング
空間と新しいコンピューティング空間との間に維持させてもよい。
【００８０】
一部の実施形態では、データセンター内での１個以上のコンピューティング室の拡張が
、異なる方向に生じる可能性がある。例えば、コンピューティング室が（例えば、一可動
壁を北に動かし、別の可動壁を東に動かすことにより直角の２方向に拡張されるかもしれ
ない。
【００８１】
上述の多くの実施形態では、コンピューティング室は既存の屋根構造体により保護され
るが、コンピューティングは種々の実施形態で拡張されたコンピューティング室として建
造された屋根を有してもよい。
【００８２】
上述の多くの実施形態では、コンピューティング室を１個の可動端壁と１個の固定端壁
とを有しているように示したが、データセンターは一部の実施形態ではコンピューティン
グ室の両端に可動端壁を有しても構わない。例えば、図１Ａに示した壁１３４を可動壁に
より置換してもよい。
【００８３】
上述の多くの実施形態では、可動壁用のローラはコンピューティング室の床上または床
レール上を転動するが、可動壁は一部の実施形態では床上の構造要素に係合するローラを
含んでもよい。例えば、可動壁は、図６および７に示したレール２２４等の、床の上方の
レールに係合するローラを含んでもよい。一部の実施形態では、可動壁は、図６および７
に示したレール２２４等の、床の上方の構造要素により支えられる。ある実施形態では、
可動壁は、レール等の、構成部材から吊下げられる。可動壁は、構成部材との係合用のハ
ンガー（例えば、フック）、ローラ、または両方を含み得る。ある実施形態では、可動壁
は、側壁コンピューティング室または他の構成部材上に壁の辺に沿って支えられる。一実
施形態では、可動壁は、可動壁の辺に沿って設けられた側壁または他の構成部材と係合す
るための辺取付けのローラまたは摺動子を含む。
【００８４】
以上の事項は、以下の付記の組を参考にしてよりよく理解されるかもしれない。
【００８５】
１．１個以上のラック式コンピューティングシステムを支持するように構成される床と
、コンピューティング室を少なくとも部分的に包囲している複数の壁であって、コンピュ
ーティング室は長さおよび幅を含み、コンピューティング室はラック式コンピューティン
グシステムのうちの少なくとも１個を保持するように構成される、複数の壁と、を備え、
複数の壁は、コンピューティング室の幅を画成する一対の対向する平行な壁と、１個以上
の可動壁であって、可動壁のうちの少なくとも１個の各々は、対向する平行な壁を実質的
につなぎ、１個以上の可動壁のうちの少なくとも１個は、コンピューティング室の長さを
増大または減少させるように平行移動するように構成される、１個以上の可動壁と、を備
える、データセンター。
【００８６】
２．１個以上の可動壁のうちの少なくとも１個は、１個以上のローラを備え、少なくと
も１個の可動壁は、コンピューティング室の長さを増大または減少させるように転動する
ように構成される、付記１に記載のデータセンター。
【００８７】
３．可動壁のうちの少なくとも１個は、コンピューティング室の長さを増大または減少
させるように動かされるように動力を供給される、付記１に記載のデータセンター。
【００８８】
４．１個以上のレールを更に備え、１個以上の壁のうちの少なくとも１個は１個以上の
レールのうちの少なくとも１個に沿って動く、付記１に記載のデータセンター。
【００８９】
５．可動壁はデータセンターのコンピューティング空間を非コンピューティング空間か
ら隔てる、付記１に記載のデータセンター。
【００９０】
６．１個以上のラック式コンピューティングシステムを支持するように構成される床と
、
コンピューティング室を少なくとも部分的に包囲している複数の壁であって、コンピュ
ーティング室はラック式コンピューティングシステムのうちの少なくとも１個を保持する
ように構成される、複数の壁と、を備え、複数の壁は１個以上の可動壁を備え、可動壁の
うちの少なくとも１個は、コンピューティング室の大きさを増大または減少させるように
他の壁に対して平行移動するように構成される、データセンター。
【００９１】
７．複数の壁は２個以上の可動壁を備え、可動壁のうちの少なくとも２個の各々は、コ
ンピューティング室の大きさを増大または減少させるように１個以上の他の壁に対して平
行移動するように構成される、付記６に記載のデータセンター。
【００９２】
８．可動壁のうちの少なくとも１個はローラを備える、付記６に記載のデータセンター
。
【００９３】
９．可動壁のうちの少なくとも１個は動力を供給される、付記６に記載のデータセンタ
ー。
【００９４】
１０．１個以上のレールを更に備え、１個以上の可動壁のうちの少なくとも１個は、１
個以上のレールのうちの少なくとも１個に沿って動く、付記６に記載のデータセンター。
【００９５】
１１．１個以上の可動壁のうちの少なくとも１個は、非コンピューティング空間からコ
ンピューティング空間を隔てる、付記６に記載のデータセンター。
【００９６】
１２．１個以上の可動壁のうちの少なくとも１個は、可動壁と少なくとも１個の他の壁
との間の接合部に１個以上の密封要素を備え、該１個以上の密封要素はコンピューティン
グ空間と非コンピューティング空間との間の空気流を抑制するように構成される、付記６
に記載のデータセンター。
【００９７】
１３．複数の壁のうちの少なくとも１個を介してコンピューティング室内のコンピュー
ティングシステムに電力を供給するように構成される配電システムを更に備える、付記６
に記載のデータセンター。
【００９８】
１４．コンピューティング室上の天井を更に備え、少なくとも１個の可動壁は天井へ実
質的に延びる、付記６に記載のデータセンター。
【００９９】
１５．コンピューティング室の天井を介して空気を引き出すように構成される空気処理
システムを更に備える、付記６に記載のデータセンター。
【０１００】
１６．複数の壁により少なくとも部分的に包囲されるコンピューティング室を提供する
ことと、
コンピューティング室の大きさを増大または減少させるように可動壁をコンピューティ
ング室の他の壁に対して平行移動させることと、を含む、コンピューティング室の大きさ
を変える方法。
【０１０１】
１７．コンピューティング室の可動壁の平行移動は、コンピューティング室の床上で可
動壁を転動させることを含む、付記１６に記載の方法。
【０１０２】
１８．可動壁は１個以上のレール上を平行移動する、付記１６に記載の方法。
【０１０３】
１９．可動壁は非コンピューティング空間からコンピューティング空間を隔て、非コン
ピューティング空間の少なくとも一部分は未完成空間であり、方法は、非コンピューティ
ング空間内に拡張域を仕上げることと、コンピューティング室を拡大して拡張域を含むよ
うに可動壁を平行移動させることと、拡張域内で１個以上のラック式コンピューティング
システムを操作することと、を更に含む、付記１６に記載の方法。
【０１０４】
２０．可動壁は非コンピューティング空間からコンピューティング空間を隔て、可動壁
はコンピューティング室の大きさを増大して拡張域を含むように平行移動され、方法は、
空間を拡張域で非コンピューティング用からコンピューティング用へ再割当てすることを
更に含む、付記１６に記載の方法。
【０１０５】
２１．可動壁はコンピューティング空間を非コンピューティング空間から隔て、可動壁
は縮小域内でコンピューティング室の大きさを減少させるように平行移動され、方法は縮
小域内の空間をコンピューティング用から非コンピューティング用へ再割当てすることを
更に含む、付記１６に記載の方法。
【０１０６】
２２．コンピューティング室を拡大して拡張域を含むように可動壁を平行移動すること
と、拡張域内の固定壁の一部分を介して少なくとも１個以上のラック式コンピューティン
グシステムに電力を供給することと、を更に含む、付記１６に記載の方法。
【０１０７】
２３．ラック式コンピューティングシステムを介して空気を動かして熱を除去すること
と、
加熱された空気をコンピューティング室の天井を介して排出することと、を更に含む、
付記１６に記載の方法。
【０１０８】
加えて、以上の事項は、以下の付記を参考にしてよりよく理解されるかもしれない。
【０１０９】
１．可動壁と１個以上の他の壁との間の拡張域内に隙間が創生されるように、コンピュ
ーティング室の可動端壁をコンピューティング室の１個以上の他の壁から遠ざかる方向に
動かすことと、側部モジュール、可動端壁、および他の壁のうちの少なくとも１個が拡張
域を含む拡大されたコンピューティング室を画成するように、可動壁と１個以上の他の壁
との間の隙間で１個以上の側部モジュールを結合することと、を含む、コンピューティン
グ室を拡大する方法。
【０１１０】
２．コンピューティング室の可動端壁を１個以上の他の壁から遠ざかる方向に動かすこ
とは、壁を転動または摺動させることを含む、付記１に記載の方法。
【０１１１】
３．可動壁と１個以上の他の壁との間の隙間で１個以上の側部モジュールを結合するこ
とは、拡張域の少なくとも一部分の側面に位置して対向する側部モジュール同士を結合す
る、付記１に記載の方法。
【０１１２】
４．更に側部モジュールの少なくとも一部分はデータセンター基盤モジュールを備える
、付記１に記載の方法。
【０１１３】
５．１個以上の支持構造要素をコンピューティング室からコンピューティング室の拡張
域内へ延ばすことと、拡大されたコンピューティング室を少なくとも部分的に包囲するよ
うにコンピューティング室の拡張域内で１個以上の側部モジュールを支持構造要素のうち
の少なくとも１個に結合することと、を含む、コンピューティング室を拡大する方法。
【０１１４】
６．１個以上の支持構造要素をコンピューティング室からコンピューティング室の拡張
域内へ延ばすことは、拡張域内に１個以上のフレーム部材を設置することを含む、付記５
に記載の方法。
【０１１５】
７．１個以上の支持構造要素をコンピューティング室からコンピューティング室の拡張
域内へ延ばすことは、拡張域内で床を追加することまたは仕上げることを含む、付記５に
記載の方法。
【０１１６】
８．コンピューティング室は可動端壁により部分的に包囲され、方法はコンピューティ
ング室の長さを増大させるように可動端壁を拡張域の方向に動かすことを更に含み、側部
モジュールのうちの少なくとも１個と可動端壁とは組合わさって拡張域を少なくとも部分
的に包囲する、付記５に記載の方法。
【０１１７】
９．可動端壁を動かすことは拡張域内で可動端壁を摺動または転動させることを含む、
付記８に記載の方法。
【０１１８】
１０．１個以上のデータセンター基盤モジュールを側部モジュールのうちの少なくとも
１個に結合することを更に含み、データセンター基盤モジュールのうちの少なくとも１個
はデータセンター基盤をコンピューティング室の拡張域内のラック式コンピューティング
システムに提供するように構成される、付記５に記載の方法。
【０１１９】
１１．１個以上の天井パネルを１個以上の支持構造要素のうちの少なくとも１個に拡張
域内で結合することを更に含む、付記５に記載の方法。
【０１２０】
１２．コンピューティング室の拡張域内のラック式コンピューティングシステムにラッ
ク式コンピューティングシステムに冷却を提供するように構成される１個以上の冷却モジ
ュールを設置することを更に含む、付記５に記載の方法。
【０１２１】
１３．１個以上の支持構造要素をコンピューティング室から拡張域内へ延ばす前に、拡
張域を外部環境から少なくとも部分的に隔離するように外壁を移動することを更に含む、
付記５に記載の方法。
【０１２２】
１４．１個以上の支持構造要素をコンピューティング室から拡張域内へ延ばす前に、拡
張域を外部環境から少なくとも部分的に保護するようにコンピューティング室用の外部シ
ェルを拡大することを更に含む、付記５に記載の方法。
【０１２３】
１５．１個以上のラック式コンピューティングシステムを支持するように構成される床
と、１個以上の壁であって、壁のうちの少なくとも１個は可動壁と１個以上の他の壁との
間に拡張域を生成するようにコンピューティング室の１個以上の他の壁から遠ざかる方向
に動くように構成される可動端壁である、１個以上の壁と、１個以上の側部モジュール、
可動壁、および他の壁のうちの少なくとも１個が拡張域を含む拡大されたコンピューティ
ング室を画成するように、可動壁と１個以上の他の壁との間の隙間で結合するように構成
される１個以上の側部モジュールと、を備える、データセンター。
【０１２４】
１６．１個以上のレールを更に備え、少なくとも１個の可動壁は１個以上のレール上に
移動可能に結合される、付記１５に記載のデータセンター。
【０１２５】
１７．１個以上の側部モジュールのうちの少なくとも２個は、可動壁と１個以上の他の
壁との間の隙間内で結合されかつ拡張域の少なくとも部分の側面に位置する、付記１５に
記載のデータセンター。
【０１２６】
１８．側部モジュールは１個以上のデータセンター基盤モジュールを備え、データセン
ター基盤モジュールのうちの少なくとも１個は、データセンター基盤を拡張域内のラック
式コンピューティングシステムに提供するように構成される、付記１５に記載のデータセ
ンター。
【０１２７】
１９．拡張域を外部環境から少なくとも部分的に隔離するように構成される外壁を更に
備える、付記１５に記載のデータセンター。
【０１２８】
２０．１個以上のラック式コンピューティングシステムと、１個以上のラック式コンピ
ューティングシステムを支持するように構成された床と、２個以上の対向する端壁と、２
個以上の側部モジュールと、を備え、側部モジュールのうちの少なくとも２個と端壁のう
ちの少なくとも２個とはラック式コンピューティングシステム用のコンピューティング室
を少なくとも部分的に包囲するように配置され、少なくとも１個端壁は移動可能でコンピ
ューティング室の辺に沿う追加の側部モジュールの挿入によりコンピューティング室を拡
大させることを可能にする、データセンター。
【０１２９】
２１．側部モジュールのうちの少なくとも１個は、データセンター基盤モジュールを備
え、少なくとも１個のデータセンター基盤モジュールは、データセンター基盤をコンピュ
ーティング室内のラック式コンピューティングシステムに提供する、付記２０に記載のデ
ータセンター。
【０１３０】
２２．データセンター基盤モジュールのうちの少なくとも１個は、コンピューティング
室内の１個以上のラック式コンピューティングシステムに電力を供給するように構成され
る電力モジュールを備える、付記２１に記載のデータセンター。
【０１３１】
２３．データセンター基盤モジュールのうちの少なくとも１個は、コンピューティング
室内の１個以上のラック式コンピューティングシステムに対して冷却を提供するように構
成される冷却モジュールである、付記２１に記載のデータセンター。
【０１３２】
２４．データセンター基盤モジュールのうちの少なくとも１個は、格納モジュールであ
る、付記２１に記載のデータセンター。
【０１３３】
２５．データセンター基盤モジュールのうちの少なくとも１個は、安全支払モジュール
である、付記２１に記載のデータセンター。
【０１３４】
２６．データセンター基盤モジュールのうちの少なくとも１個は、搬入口を備える、付
記２１に記載のデータセンター。
【０１３５】
２７．データセンター基盤モジュールのうちの少なくとも１個は、コンピューティング
室と追加のコンピューティング室との間に結合され、少なくとも１個のデータセンター基
盤モジュールは、追加のコンピューティング室内のラック式コンピューティングシステム
に対して基盤を提供するように構成される、付記２１に記載のデータセンター。
【０１３６】
２８．追加のコンピューティング室を更に備え、側部モジュールのうちの少なくとも１
個はホールウェイを備え、該ホールウェイは要員がコンピューティング室と追加のコンピ
ューティング室との間を動くことを可能にする、付記２０に記載のデータセンター。
【０１３７】
２９．床の上方に１個以上のフレーム部材を更に備え、１個以上のフレーム部材のうち
の少なくとも１個はコンピューティング室を超えて拡張域内に延びる部分を含み、少なく
とも１個のフレーム部材は、コンピューティング室の長さを増大させるように拡張域内で
少なくとも１個の追加の側部モジュールと結合するように構成される、付記２０に記載の
データセンター。
【０１３８】
３０．フレーム部材のうちの少なくとも１個は、床の上方に１個以上のレールを備え、
レールのうちの少なくとも１個は包囲された空間から遠ざかる方向に延び、１個以上の側
部モジュールのうちの少なくとも１個は、コンピューティング室の拡張域内へ延びるレー
ルの一部分上に結合するように構成される、付記２０に記載のデータセンター。
【０１３９】
３１．コンピューティング室の拡張域上に延びるように構成される歩路を更に備える、
付記２０に記載のデータセンター。
【０１４０】
３２．コンピューティング室の拡張域上に延びるように構成されるケーブルトレイを更
に備える、付記２０に記載のデータセンター。
【０１４１】
３３．コンピューティング室の拡張域を外部環境から少なくとも部分的に隔離するよう
に構成される外壁を更に備える、付記２０に記載のデータセンター。
【０１４２】
３４．コンピューティング室の拡張域を外部環境から少なくとも部分的に隔離するよう
に拡張するように構成される外部シェルを更に備える、付記２０に記載のデータセンター
。
【０１４３】
上記の実施形態をかなり詳細に説明したが、以上の開示が充分に認識された後には多数
の変形例および修正例が当業者に明らかになるであろう。以下の付記はそのような変形例
および修正例の全てを包含するように解釈されるように意図されている。
【図１Ａ】
2018003593.tif 000003
【図１Ｂ】
2018003593.tif 000004
【図１Ｃ】
2018003593.tif 000005
【図２】
2018003593.tif 000006
【図３Ａ】
2018003593.tif 000007
【図３Ｂ】
2018003593.tif 000008
【図４】
2018003593.tif 000009
【図５】
2018003593.tif 000010
【図６】
2018003593.tif 000011
【図７】
2018003593.tif 000012
【図８Ａ】
2018003593.tif 000013
【図８Ｂ】
2018003593.tif 000014
【図９Ａ】
2018003593.tif 000015
【図９Ｂ】
2018003593.tif 000016
【図１０Ａ】
2018003593.tif 000017
【図１０Ｂ】
2018003593.tif 000018
【図１１】
2018003593.tif 000019
【図１２】
2018003593.tif 000020
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
コンピューティング室を拡張する方法であって、
前記コンピューティング室の可動端壁を移動させることであって、前記可動端壁を移動させることは、拡張されたコンピューティング室が、前記コンピューティング室のエリアと、拡張域のエリアとを含むように、前記コンピューティング室のエリアを増大させ、前記拡張域の前記エリアは、前記コンピューティング室の幅と同じ幅と、前記可動端壁が移動される距離に相当する長さとを有することと、
前記拡張域の周辺に沿った一つ以上の隙間を満たすように、前記拡張域の周辺に沿った一つ以上の隙間内で、一つ以上の側部モジュールを結合することであって、前記拡張域の周辺に沿った一つ以上の隙間は、前記可動端壁の動きの方向に直角に前記拡張域の一つ以上の側部に位置し、前記一つ以上の側部モジュールは、前記一つ以上の隙間を満たすように、および前記拡張域から、前記拡張域の外側の空間内へ延出するように、前記一つ以上の隙間内で結合されることと、
を含み、前記拡張域を含む前記拡張されたコンピューティング室は、前記一つ以上の側部モジュール、前記可動端壁および少なくとも一つの他の壁によって、少なくとも部分的に画成される、方法。
【請求項２】
コンピューティング室の前記可動端壁を前記一つ以上の他の壁から離して移動させることは、前記可動端壁を転動または滑動させることを含む、請求項１に記載の方法。
【請求項３】
前記一つ以上の隙間内で前記一つ以上の側部モジュールを結合することは、前記拡張域の前記一つ以上の側部のうちの２つにおいて前記拡張域の少なくとも一部の側面に位置する、対向する前記側部モジュールを結合することを含む、請求項１に記載の方法。
【請求項４】
コンピューティング室を拡張させる方法であって、
一つ以上の支持構造要素を前記コンピューティング室から前記コンピューティング室用の拡張域内へ延ばすことであって、前記拡張域のエリアは、前記コンピューティング室の幅と同じ幅と、前記一つ以上の支持構造要素が延ばされる距離に相当する長さとを有することと、
拡張されたコンピューティング室を少なくとも部分的に包囲するように、前記コンピューティング室用の前記拡張域内で、一つ以上の側部モジュールを、前記支持構造要素の少なくとも一つに結合することであって、前記一つ以上の側部モジュールは、前記拡張されたコンピューティング室の一つ以上の壁の一部を形成し、および前記一つ以上の側部モジュールは前記拡張されたコンピューティング室から前記拡張域の外側の空間内に延出するように、前記拡張域内で前記支持構造要素のうちの少なくとも一つに結合されることと、
を含む方法。
【請求項５】
一つ以上の支持構造要素を前記コンピューティング室から前記コンピューティング室用の前記拡張域内へ延ばすことは、一つ以上のフレーム部材を前記拡張域内に設置することを含む、請求項４に記載の方法。
【請求項６】
一つ以上の支持構造要素を前記コンピューティング室から前記コンピューティング室用の前記拡張域内へ延ばすことは、前記拡張域内に床を追加すること、または床を仕上げることを含む、請求項４に記載の方法。
【請求項７】
一つ以上の支持構造要素を前記コンピューティング室から前記拡張域内へ延ばす前に、前記拡張域を外部環境から少なくとも部分的に隔離するように外壁を移動させることをさらに含む、請求項４に記載の方法。
【請求項８】
一つ以上のラック式コンピューティングシステムを支持するように構成された床と、
一つ以上の壁であって、前記壁のうちの少なくとも一つは、可動端壁によって部分的に画成されたコンピューティング室のエリアが、前記コンピューティング室のエリアと、拡張域のエリアとを含むように増大されるように移動するように構成された前記可動端壁であり、前記拡張域のエリアは、前記コンピューティング室の幅と同じ幅と、前記可動端壁の移動の距離に相当する長さとを有する、一つ以上の壁と、
前記一つ以上の側部モジュールと、前記可動端壁と、前記他の壁のうちの少なくとも一つとが、前記拡張域のエリアと、前記コンピューティング室のエリアとを含む拡張されたコンピューティング室を画成するように、前記拡張域の周辺に沿った一つ以上の隙間内で結合するように構成された一つ以上の側部モジュールと、
を備えるデータセンターであって、
前記拡張域の周辺に沿った一つ以上の隙間は、前記可動端壁の移動の方向に直角に前記拡張域の一つ以上の側部に位置し、
前記一つ以上の側部モジュールは、前記拡張域の周辺に沿った一つ以上の隙間を満たすように、および前記拡張域から、前記拡張されたコンピューティング室の外側の空間内へ延出するように、前記拡張域の周辺に沿った一つ以上の隙間内で結合するように構成される、データセンター。
【請求項９】
一つ以上のレールをさらに備え、前記少なくとも一つの可動端壁は、前記一つ以上のレール上での動きのために結合される、請求項８に記載のデータセンター。
【請求項１０】
前記一つ以上の側部モジュールのうちの少なくとも二つは、前記拡張域の周辺に沿った一つ以上の隙間内で結合するように、および前記拡張域の前記一つ以上の側部のうちの２つにおいて前記拡張域の少なくとも一部の側面に位置するように構成される、請求項８に記載のデータセンター。
【請求項１１】
前記拡張域を外部環境から少なくとも部分的に隔離するように構成された外壁をさらに備える、請求項８に記載のデータセンター。
【請求項１２】
前記側部モジュールのうちの少なくとも一つは、前記コンピューティング室内の一つ以上のラック式コンピューティングシステムに電力を供給するように構成された電力モジュールを備える、請求項８に記載のデータセンター。
【請求項１３】
前記側部モジュールのうちの少なくとも一つは、前記コンピューティング室内の一つ以上のラック式コンピューティングシステムに冷却をもたらすように構成された冷却モジュールである、請求項８に記載のデータセンター。
【請求項１４】
追加的なコンピューティング室をさらに備え、前記側部モジュールのうちの少なくとも一つは通路を備え、前記通路は、社員が、前記コンピューティング室と前記追加的なコンピューティング室との間を移動できるように構成される、請求項８に記載のデータセンター。
【請求項１５】
前記コンピューティング室の前記拡張域を外部環境から少なくとも部分的に隔離するために拡張するように構成された外部シェルをさらに備える、請求項８に記載のデータセンター。
【外国語明細書】
2018003593000001.pdf